(57)【特許請求の範囲】
【請求項１】
少なくとも一端に開口部を備え、前記開口部から電子部品を搭載した電子回路基板を収容すると共に、前記収容した電子回路基板を所定位置に保持するようにした電子回路基板の収容ケースにおいて、前記電子回路基板を収容した際に前記電子回路基板の電子部品搭載面と対向する第１の内壁面と前記電子部品搭載面の裏面と対向する第２の内壁面のうち、少なくとも前記第１の内壁面に、前記開口部あるいはその付近から前記収容ケースの内方に向けて前記第１の内壁面と第２の内壁面の離間距離を前記電子回路基板の幅と同程度の幅まで狭小化させるテーパ部を形成すると共に、前記テーパ部によって前記電子回路基板の幅と同程度の幅まで狭小化された第１の内壁面と第２の内壁面で前記電子回路基板を挟持し、よって前記電子回路基板を前記所定位置に保持するように構成したことを特徴とする電子回路基板の収容ケース。
【請求項２】
前記テーパ部および前記狭小化された第１の内壁面と第２の内壁面を前記収容ケースの側端部において形成し、よって前記電子回路基板の側端部を、前記収容ケースの側端部に形成された狭小化された第１の内壁面と第２の内壁面で挟持するように構成したことを特徴とする請求項１項記載の電子回路基板の収容ケース。
【請求項３】
前記第１の内壁面と第２の内壁面の離間距離の狭小化に応じ、前記第１の内壁面外方の第１の外壁面と前記第２の内壁面外方の第２の外壁面の離間距離を狭小化するように構成したことを特徴とする請求項１項または２項記載の電子回路基板の収容ケース。
【発明の詳細な説明】
【０００１】
【発明の属する技術分野】
本発明は電子回路基板の収容ケースに関し、より詳しくは、電子部品を搭載した電子回路基板を収容し、さらに収容した電子回路基板を所定位置に保持するようにした電子回路基板の収容ケースに関する。
【０００２】
【従来の技術】
二輪あるいは四輪自動車などに搭載される電子回路基板においては、水分や埃などの外部環境から保護するために収容ケースに収容し、さらに、外部から大きな衝撃や振動が加わることから、電子回路基板を収容ケース内部の所定位置に保持（固定）している。
【０００３】
また、衝撃や振動による電子部品のリード破断や回路パターンの剥離、あるいは浸水や湿気の進入による腐食や短絡不良などを防止するために、電子回路基板を収容ケースに収容した後、電子回路基板と収容ケース内壁との間隙に樹脂を充填（ポッティング）することも広く行なわれている。
【０００４】
このような電子回路基板を収容する収容ケースとしては、例えば本出願人が先に提案した特開２００１−２３７５５７号公報の技術を挙げることができる。この特開２００１−２３７５５７号公報に係る収容ケースにあっては、ケース内壁に２本のレールを平行に設けて電子回路基板と同程度の幅の溝を形成し、この溝をガイドとして電子回路基板を所定位置に収容すると共に、収容した後は、この２本のレールで電子回路基板を挟持するように構成している。
【０００５】
また、収容ケースの形状を、収容する電子回路基板に搭載された電子部品の形状に合わせた凹凸状とすることで、ポッティングの際に充填される樹脂量を低減している。
【０００６】
【発明が解決しようとする課題】
上記した如く、特開２００１−２３７５５７号公報に係る収容ケースにあっては、電子回路基板が挿入される溝が２本の平行したレールによって電子回路基板と同程度の幅に形成されていることから、電子回路基板の収容に際しては、電子回路基板を溝の延長線上に位置させ、かつ、電子回路基板の傾きを溝と平行に保ちつつ溝の開始端へと平行移動させる必要があり、作業性において満足できるものではなかった。尚、上記特開２００１−２３７５５７号公報にあっては、２本のレールの先端をテーパ状に形成して作業性を向上させるようにしているが、生産効率を考慮すれば改善の余地を残すものであった。
【０００７】
また、収容ケースの内壁に複数本のレール、即ち、細い凸状部材が形成されることから、収容ケースの成形に用いる金型が複雑化して高価になると共に、脱型の作業性が低下するといった不具合があった。
【０００８】
従って、この発明の目的は、上記した課題を解決し、電子回路基板を収容する際の作業性を向上させることができると共に、成形に用いる金型の複雑化および脱型の作業性の低下を防止することができるようにした電子回路基板の収容ケース、より具体的には、収容した電子回路基板を所定位置に保持する保持手段を備えた電子回路基板の収容ケースを提供することにある。
【０００９】
ところで、収容ケースに樹脂を充填する場合においては、コストの観点から、充填される樹脂量は少ない程好ましい。また、収容ケースの取り付け場所（例えば前記した四輪自動車にあってはエンジンルームなど）のスペース的な要望や、製品の重量、原材料の使用量などの点から、収容ケース全体の体積は小さい程好ましいのは言うまでもない。さらに、電子回路基板を収容ケース内の所定位置に保持するあたっては、電子回路基板の実装面をなんらかのかたちで挟持するか、あるいはネジや接着剤で固定する必要があるが、この際、実装面の減少が少なく、かつ電子部品の配置に与える制約が少ないことが望ましい。
【００１０】
従って、この発明のさらなる目的は、上述の課題を解消することに加え、充填される樹脂量を低減することができると共に、全体の体積を小さくすることができ、さらには、電子回路基板の保持にあたっては、実装面の減少ならびに電子部品の配置に与える制約を抑制することのできる電子回路基板の収容ケースを提供することにある。
【００１１】
【課題を解決するための手段】
上記した課題を解決するため、請求項１項においては、少なくとも一端に開口部を備え、前記開口部から電子部品を搭載した電子回路基板を収容すると共に、前記収容した電子回路基板を所定位置に保持するようにした電子回路基板の収容ケースにおいて、前記電子回路基板を収容した際に前記電子回路基板の電子部品搭載面と対向する第１の内壁面と前記電子部品搭載面の裏面と対向する第２の内壁面のうち、少なくとも前記第１の内壁面に、前記開口部あるいはその付近から前記収容ケースの内方に向けて前記第１の内壁面と第２の内壁面の離間距離を前記電子回路基板の幅と同程度の幅まで狭小化させるテーパ部を形成すると共に、前記テーパ部によって前記電子回路基板の幅と同程度の幅まで狭小化された第１の内壁面と第２の内壁面で前記電子回路基板を挟持し、よって前記電子回路基板を前記所定位置に保持するように構成した。
【００１２】
これにより、電子回路基板を収容ケースに収容する際の作業性を向上させることができると共に、収容ケースの成形に用いる金型の複雑化および脱型の作業性の低下を防止することができる。
【００１３】
具体的には、収容した電子回路基板の電子部品搭載面と対向する第１の内壁面とその裏面と対向する第２の内壁面のうち、少なくとも第１の内壁面に、開口部あるいはその付近からケース内方に向けて第１の内壁面と第２の内壁面の離間距離を電子回路基板の幅と同程度の幅まで狭小化させるテーパ部を形成すると共に、テーパ部によって狭小化された第１の内壁面と第２の内壁面で電子回路基板を挟持するように構成した、即ち、テーパ部を介して開口部に連続する収容ケースの内壁面を電子回路基板の挟持部として利用するように構成したので、電子回路基板の収容ケースに対する相対位置や傾きは、開口部への挿入が可能であれば、それ以上の制約を生じない。
【００１４】
即ち、開口部あるいはその付近から連続するテーパ部がガイドとしての機能を果たすため、電子回路基板をケース内方へと挿入することで、テーパ部によって電子回路基板の位置が挟持部（前記した狭小化された第１の内壁面と第２の内壁面）の延長線上に補正されると共に、傾きが挟持部と平行になるように補正される。そして、その後さらに電子回路基板の挿入を進めることで、挟持部によって収容ケース内の所定位置に挟持（保持）される。
【００１５】
このように、電子回路基板の挟持部への挿入作業が容易であるため、電子回路基板を収容する際の作業性を向上させることができる。また、内壁面そのものを電子回路基板の挟持部として利用することから、収容ケース内部に基板保持のための細かい部材（例えば前記したレール）を形成する必要がない。このため、収容ケースの成形に用いる金型の複雑化および脱型の作業性の低下を防止することができる。さらには、内壁面の離間距離そのものを狭小化することから、収容ケース内部に樹脂を充填する場合においては、充填される樹脂量を低減することができる。
【００１６】
また、請求項２項においては、前記テーパ部および前記狭小化された第１の内壁面と第２の内壁面を前記収容ケースの側端部において形成し、よって前記電子回路基板の側端部を、前記収容ケースの側端部に形成された狭小化された第１の内壁面と第２の内壁面で挟持するように構成した。
【００１７】
テーパ部および電子回路基板の挟持部たる狭小化された第１の内壁面と第２の内壁面を収容ケースの側端部において形成し、よって電子回路基板の側端部を、収容ケースの側端部に形成された挟持部で挟持するように構成したので、電子回路基板の実装面の減少ならびに電子部品の配置に与える制約を抑制することができる。
【００１８】
また、請求項３項においては、前記第１の内壁面と第２の内壁面の離間距離の狭小化に応じ、前記第１の内壁面外方の第１の外壁面と前記第２の内壁面外方の第２の外壁面の離間距離を狭小化するように構成した。
【００１９】
内壁面の離間距離の狭小化に応じ、その外方の外壁面の離間距離も狭小化するように構成したので、収容ケース全体の体積を小さくすることができる。
【００２０】
【発明の実施の形態】
以下、添付した図面を参照し、この発明の一つの実施の形態に係る電子回路基板の収容ケースについて説明する。
【００２１】
図１はこの実施の形態に係る電子回路基板の収容ケースを示す斜視図である。同図において電子回路基板の収容ケース（以下単に『ケース』という）を符合１０で示す。
【００２２】
同図に示すように、ケース１０には、その一端の全面が開口されて開口部１２が形成される。ケース１０は、この開口部１２から電子部品（一部のみ示す）１４を搭載した電子回路基板（以下単に『基板』という）１６を収容する。
【００２３】
図２は、ケース１０に基板１６を収容した状態を図１の上方からみた上面図であり、図３はその側面図である。図２に示すように、ケース１０は上面視略矩形状に形成される。また、ケース１０端部の内壁面には、所定幅のテーパ部１８ａおよび１８ｂ（後述。図１で１８ａのみ示す）が形成される。
【００２４】
また、基板１６には、図１から図３に示すように、基板１６を他の電子ユニット（図示せず）などに接続するためのコネクタ２４がはんだ付けにより搭載される。また、コネクタ２４の側壁下部には、ケース１０に基板１６を収容した際に、前記した第１の凹部２０と係合する鍔状の第１の突起部２６が形成されると共に、前記した第２の凹部２２と係合する第２の突起部２８が形成される。
【００２５】
ここで、図４から図８を参照し、ケース１０の内部形状について詳しく説明すると共に、ケース１０への基板１６の収容作業について説明する。
【００２６】
図４は図２のIV−IV線で切断した断面図である。同図に示すように、ケース１０端部の内壁面、具体的には、基板１６を収容した際に基板１６の実装面、即ち電子部品１４の搭載面１６ａに対向する内壁面（第１の内壁面）１０ａと、前記搭載面１６ａの裏面１６ｂに対向する内壁面（第２の内壁面）１０ｂの側端部（より詳しくは、開口部１２から連続する両側端部）には、テーパ部１８ａと１８ｂがそれぞれ形成される。
【００２７】
より具体的には、第１の内壁面１０ａの側端部には、開口部１２付近からケース１０の内方に向かうに従って第２の内壁面１０ｂ方向へと傾斜する第１のテーパ部１８ａが形成されると共に、第２の内壁面１０ｂの側端部には、開口部１２からケース１０の内方に向かって第１の内壁面１０ａ方向へと傾斜する第２のテーパ部１８ｂが形成される。
【００２８】
即ち、第１の内壁面１０ａおよび第２の内壁面１０ｂは、その離間距離（開口部１２における離間距離をＤとする）が側端部において第１のテーパ部１８ａと第２のテーパ部１８ｂによって狭小化される。尚、開口部１２における離間距離Ｄは、基板１６を収容するのに十分な距離、換言すれば、電子部品１４の高さよりも大きな幅に設定される。また、第２のテーパ部１８ｂの最大高さは、基板１６を収容した際に、その裏面１６ｂから突出する電子部品１４のリード部が、第２の内壁面１０ｂに接触しない高さ以上とされる。
【００２９】
第１の内壁面１０ａおよび第２の内壁面１０ｂの離間距離は、最終的には第１のテーパ部１８ａの終点（ケース内方側終点）において基板１６の幅（より正確には、電子部品１４の搭載面１６ａとその裏面１６ｂで規定される幅）と同程度の幅（図にｄで示す）まで狭小化される。
【００３０】
さらに、離間距離が狭小化された第１の内壁面１０ａおよび第２の内壁面１０ｂは、前記した基板１６と同程度の幅（離間距離ｄ）を保ちながら（即ち平行に）、ケース１０の内方端（開口部１２を上面としたときの内部底面）まで所定幅（前記した各テーパ部１８ａ，ｂと同一幅）で形成されることにより、基板１６を収容した際に基板１６の端部を挟持する挟持部として機能する。この離間距離が狭小化された第１の内壁面１０ａおよび第２の内壁面１０ｂを、それぞれ符合１０ａ１，１０ｂ１で示す。
【００３１】
このように、開口部１２と、基板１６を挟持する挟持部（狭小化された第１の内壁面１０ａおよび第２の内壁面１０ｂ）は、各テーパ部１８ａ，ｂを介して連続して形成される。
【００３２】
以上をより概略的に言えば、この実施の形態に係るケース１０にあっては、その両側端部（の所定幅）を基板１６と同程度の厚さまで絞ってケース１０の幅を縮径し、よってその絞り部分（上記で言えば狭小化された第１の内壁面１０ａおよび第２の内壁面１０ｂ。即ち挟持部）で基板１６を挟持すると共に、基板１６の挿入性を考慮し、この絞り部分を開口部１２に向けて拡径する（上記で言えば開口部１２と挟持部をテーパ部１８ａ，ｂを介して連続する）ようにしたと言える。
【００３３】
次いで図５を参照し、ケース１０への基板１６の収容作業について説明する。図５はケース１０への基板１６の収容作業を示す、図４と同位置で切断した断面図である。
【００３４】
同図に示すように、基板１６は、前記したコネクタ２４が搭載される側の反対側から、開口部１２を介して収容ケース１０に挿入される。この際、上記した如く、各テーパ部１８ａ，１８ｂを介して開口部１２に連続する収容ケース１０の内壁面、即ち、狭小化された第１の内壁面１０ａ１および第２の内壁面１０ｂ１を基板１６の挟持部として利用するようにしたので、収容ケース１０に対する基板１６の相対位置や傾きは、開口部１２への挿入が可能であれば、それ以上の制約を生じない。
【００３５】
これは、例えば基板１６が図５や図６に示す状態（即ち、挟持部たる狭小化された第１の内壁面１０ａ１と第２の内壁面１０ｂ１に対する基板１６の相対位置が、これらの面の延長線上に位置せず、あるいは、傾きがこれらの面と平行でない状態）にあっても、基板１６を収容ケース１０の内方へとさらに挿入することで、第１のテーパ部１８ａおよび第２のテーパ部１８ｂ、特に第１のテーパ部１８ａにより、基板１６の位置が挟持部の延長線上に補正されると共に、その傾きが挟持部と平行となるように補正されることにより、図７に示す状態に至るためである。換言すれば、各テーパ部１８ａ，１８ｂがガイドとしての機能を果たすためである。
【００３６】
その後、さらに基板１６の挿入を進めることで、挟持部によって基板１６の端部が挟持され、よって基板１６は収容ケース１０の所定位置に保持される、即ち、図４あるいは図２および図３に示す状態に至る。
【００３７】
尚、上記したように、開口部１２は基板１６を収容するのに十分な幅を有するように設定されていることから、基板１６を収容ケース１０内に容易に挿入することができる。
【００３８】
このように、この実施の形態に係る収容ケース１０にあっては、基板１６を収容ケース１０に収容する際の作業性を向上させることができる。
【００３９】
また、収容ケース１０の内壁面そのものが基板１６の挟持部として利用されることから、収容ケース１０の内部に基板保持のための細かい部材（例えばレールなど）を形成する必要がないため、収容ケース１０の成形に用いる金型（図示せず）の複雑化および脱型の作業性の低下を防止することができる。
【００４０】
さらには、収容ケース１０の内壁面の離間距離そのものが狭小化されることから、収容ケース１０の内部体積が減少し、よって内部に樹脂を充填する場合においては、充填される樹脂量を低減することができる。
【００４１】
さらには、各テーパ部１８ａ，１８ｂ、および、挟持部たる狭小化された第１の内壁面１０ａ１と第２の内壁面１０ｂ１を収容ケース１０の側端部において所定幅のみ形成し、よって収容ケース１０の側端部に形成された所定幅の挟持部で基板１６の側端部を挟持するようにしたので、基板１６の実装面（搭載面１６ａ）の減少、ならびに電子部品１４の配置に与える制約を抑制することができる。
【００４２】
図４の説明に戻ると、第１の内壁面１０ａの外方（ケース外方）の第１の外壁面３０ａと、第２の内壁面１０ｂの外方の第２の外壁面３０ｂの離間距離（開口部１２におけるそれをＤ１で示す）は、第１の内壁面１０ａと第２の内壁面１０ｂの離間距離の狭小化に応じて狭小化される（同図においてｄ１で示す）。別言すれば、ケース１０の肉厚が略一定に形成されることにより、その両側端部が、第１の内壁面１０ａと第２の内壁面１０ｂの離間距離に伴って図１から図３に示すように凹状に形成される。
【００４３】
これにより、ケース１０全体の体積を小さくすることができる。尚、図１から図３において符合３０ａで示す凹状の第１の外壁面や、図１で示す第２のテーパ部１８ａなどから、第１のテーパ部１８ａおよび第２のテーパ部１８ｂ、さらには、狭小化された第１の内壁面１０ａ１および第２の内壁面１０ｂ１が、ケース１０の側端部（第１の内壁面１０および第２の内壁面１０の側端部）において前記した所定幅（符合ｗで示す）で形成されていることが確認できよう。
【００４４】
また、前記したように、ケース１０に基板１６を収容した際に、第１の凹部２０と第１の突起部２６が係合すると共に、第２の凹部２２と第２の突起部２８が係合する、より詳しくは、第１の突起部２６は、収容ケース１０の壁面をコネクタ２４の本体と挟持するようにしてケース外壁面（前記した第１の外壁面３０ａ）に形成された第１の凹部２０と係合すると共に、第２の突起部２８は、収容ケース１０の内壁に嵌め合いされるようにしてケース内壁面に形成された第２の凹部２２と係合する。これにより、基板１６（およびコネクタ２４）を収容ケース１０の所定位置により確実に保持することができる。
【００４５】
次いで図８を参照して説明を続ける。図８は図２のVIII−VIII線で切断した断面図である。同図に示すように、収容ケース１０の内方端（前記したように開口部１２を上面としたときの内部底面）の適宜位置には、基板１６と同程度の間隔（即ち前記したｄと同程度の幅）を有する複数個の凸部３２が形成される。これら凸部３２、より詳しくはこれらにより形成される基板１６と略同幅の溝で基板１６を挟持することにより、基板１６を収容ケース１０の所定位置により一層確実に保持することができる。
【００４６】
また、同図に示すように、収容ケース１０は、その側端部以外においても、基板１６に搭載される電子部品１４の形状に合わせ、第１の内壁面１０ａと第２の内壁面１０ｂの離間距離が狭小化される。また、それに合わせ、第１の外壁面３０ａと第２の外壁面３０ｂの離間距離も狭小化される（別言すれば、収容ケース１０全体が略同肉厚とされる）。これにより、収容ケース１０全体の体積をより一層低減できると共に、ケース内部に樹脂が充填される場合にあっては、充填される樹脂量をより一層低減することができ、搭載スペースやコストの面で有利となる。
【００４７】
このように、この実施の形態に係る収容ケース１６にあっては、基板１６を収容ケース１０に収容する際の作業性を向上させることができる。
【００４８】
また、収容ケース１０の内壁面そのものを基板１６の挟持部として利用することから、収容ケース１０の内部に基板保持のための細かい部材（例えばレールなど）を形成する必要がないため、収容ケース１０の成形に用いる金型（図示せず）の複雑化および脱型の作業性の低下を防止することができる。
【００４９】
さらには、収容ケース１０は、全体の体積を低減できると共に、ケース内部に樹脂が充填される場合にあっては、充填される樹脂量を低減することができる構成とされるため、搭載スペースやコストの面で有利となる。また、基板１６の実装面積の減少を抑制することができると共に、基板１６の保持をより一層確実に行なうことができるなど、種々の効果を得ることができる。
【００５０】
次いで図９を参照し、この発明の第２の実施の形態に係る収容ケースを説明する。上述の実施の形態との相違点のみ説明すると、上記収容ケース１０においては、第１の内壁面１０ａと第２の内壁面１０ｂの離間距離の狭小化に合わせ、それらの外方の第１の外壁面３０ａと第２の外壁面３０ｂの離間距離Ｄも狭小化するようにしたが、この実施の形態に係る収容ケース１００にあっては、第１の外壁面３０ａと第２の外壁面３０ｂの離間距離Ｄを狭小化させないように構成した。
【００５１】
別言すれば、収容ケース１００の外形を凹凸のないフラットな形状とすると共に、収容ケース１００の肉厚を変化させる、具体的には肉厚を内部方向に増加させることにより、第１の内壁面１０ａと第２の内壁面１０ｂの離間距離Ｄを基板１６と同程度の幅ｄまで狭小化するようにした。他の構成および効果は、上述の実施の形態と同様なので、同一符合を付して説明を省略する。ただしこの場合、収容ケース全体の体積の縮小化という効果については上述の実施の形態に対して劣るのは言うまでもないが、ケース形状の簡素化に伴う金型の低コスト化、および強度の向上といった点でメリットがある。
【００５２】
上記の如く、この実施の形態にあっては、少なくとも一端に開口部１２を備え、前記開口部１２から電子部品１４を搭載した電子回路基板１６を収容すると共に、前記収容した電子回路基板１６を所定位置に保持するようにした電子回路基板の収容ケース（１０，１００）において、前記電子回路基板１６を収容した際に前記電子回路基板の電子部品搭載面１６ａと対向する第１の内壁面１０ａと前記電子部品搭載面の裏面１６ｂと対向する第２の内壁面１０ｂのうち、少なくとも前記第１の内壁面１０ａに、前記開口部１２あるいはその付近から前記収容ケース１０の内方に向けて前記第１の内壁面１０ａと第２の内壁面１０ｂの離間距離Ｄを前記電子回路基板の幅と同程度の幅ｄまで狭小化させるテーパ部（第１のテーパ部１８ａ、第２のテーパ部１８ｂ）を形成すると共に、前記テーパ部（１８ａ，１８ｂ）によって前記電子回路基板の幅と同程度の幅まで狭小化された第１の内壁面１０ａ１と第２の内壁面１０ｂ１で前記電子回路基板１６を挟持し、よって前記電子回路基板１６を前記所定位置に保持するように構成した。
【００５３】
また、前記テーパ部（１８ａ，１８ｂ）および前記離間距離が狭小化された第１の内壁面１０ａ１と第２の内壁面１０ｂ１を前記収容ケース１０の側端部（より詳しくは、第１の内壁面１０ａおよび第２の内壁面１０ｂの、開口部１２に連続する両側端部）において形成し、よって前記電子回路基板１６の側端部を、前記収容ケース１０の側端部に形成された狭小化された第１の内壁面１０ａ１と第２の内壁面１０ｂ１で挟持するように構成した。
【００５４】
また、請求項３項においては、前記第１の内壁面１０ａと第２の内壁面１０ｂの離間距離Ｄの狭小化に応じ、前記第１の内壁面１０ａ外方の第１の外壁面３０ａと前記第２の内壁面１０ｂ外方の第２の外壁面３０ｂの離間距離Ｄ１を狭小化するように構成した。
【００５５】
尚、上記において、収容ケース１０の形状を上面視略矩形としたが、それに限られるものではなく、いかなる形状としても良い。即ち、収容する基板の搭載面とその裏面に対向する内壁面が形成されさえすれば、外形はいかなる形状であっても良い。
【００５６】
また、テーパ部（１８ａ，１８ｂ）を第１の内壁面１０ａと第２の内壁面１０ｂの双方に形成したが、第１の内壁面１０ａのみに形成し、第１のテーパ部１８ａのみによって内壁面１０ａと第２の内壁面１０ｂの離間距離を基板１６と同程度の幅ｄまで狭小化するようにしても良い。例えば、基板１６に搭載する電子部品１４が全て表面実装部品であり、かつ、基板裏面（１６ｂ）にパターン（配線）が形成されない場合にあっては、第２の内壁面１０ｂにテーパ部（第２のテーパ部１８ｂ）を形成せずに、基板裏面（１６ｂ）全体を第２の内壁面１０に接触させるようにしても構わない。
【００５７】
また、テーパ部（１８ａ，１８ｂ）および挟持部（１０ａ１，１０ｂ１）を収容ケースの側端部に形成して基板１６の側端部を挟持するようにしたが、それに限られるものではなく、テーパ部（１８ａ，１８ｂ）および挟持部（１０ａ１，１０ｂ１）を収容ケースの側端部以外に形成し、基板１６の側端部あるいはそれ以外の任意の部位を挟持するようにしても良い。ただし、基板１６の実装面積の減少、ならびに電子部品１４の配置に与える制約を抑制できるような構成とするが望ましいのは前述の通りである。
【００５８】
【発明の効果】
請求項１項記載の発明にあっては、収容ケースに電子回路基板を収容する際の作業性を向上させることができる。また、収容ケースの内壁面そのものを電子回路基板の挟持部として利用することから、収容ケース内部に基板保持のための細かい部材などを形成する必要がないため、収容ケースの成形に用いる金型の複雑化および脱型の作業性の低下を防止することができる。さらには、内壁面の離間距離そのものを狭小化することから、収容ケース内部に樹脂を充填する場合においては、充填される樹脂量を低減することができる。
【００５９】
請求項２項記載の発明にあっては、テーパ部および挟持部たる狭小化された第１の内壁面と第２の内壁面を収容ケースの側端部において形成し、よって電子回路基板の側端部を、収容ケースの側端部に形成された挟持部で挟持するように構成したので、電子回路基板の実装面の減少を抑制することができる。
【００６０】
請求項３項記載の発明にあっては、内壁面の離間距離の狭小化に応じ、その外方の外壁面の離間距離も狭小化するように構成したので、収容ケース全体の体積を小さくすることができる。
【図面の簡単な説明】
【図１】この発明の一つの実施の形態に係る電子回路基板の収容ケースを示す斜視図である。
【図２】図１に示す収容ケースに電子回路基板を収容した状態を図１の上方から見た上面図である。
【図３】図２の側面図である。
【図４】図１に示す収容ケースを図２のIV−IV線で切断した断面図である。
【図５】図１に示す収容ケースへの基板の収容作業を説明する、図４と同様な説明断面図である。
【図６】図１に示す収容ケースへの基板の収容作業を説明する、図５と同様な説明断面図である。
【図７】図１に示す収容ケースへの基板の収容作業を説明する、図５と同様な説明断面図である。
【図８】図１に示す収容ケースを図２のVIII−VIII線で切断した断面図である。
【図９】この発明の第２の実施の形態に係る電子回路基板の収容ケースを示す、図４と同様な断面図である。
【符号の説明】
１０      この発明の一つの実施の形態に係る収容ケース（ケース）
１０ａ    第１の内壁面
１０ｂ    第２の内壁面
１０ａ１  第２の内壁面との離間距離が狭小化された第１の内壁面（挟持部）
１０ｂ１  第１の内壁面との離間距離が狭小化された第２の内壁面（挟持部）
１２      開口部
１４      電子部品
１６      電子回路基板（基板）
１８ａ    第１のテーパ部
１８ｂ    第２のテーパ部
３０ａ    第１の外壁面
３０ｂ    第２の外壁面
１００    この発明の第２の実施の形態に係る収容ケース（ケース）
【図１】
0003745670.tif 000002
【図２】
0003745670.tif 000003
【図３】
0003745670.tif 000004
【図４】
0003745670.tif 000005
【図５】
0003745670.tif 000006
【図６】
0003745670.tif 000007
【図７】
0003745670.tif 000008
【図８】
0003745670.tif 000009
【図９】
0003745670.tif 000010